(57)【要約】      （修正有）【課題】チェンジャーユニットのメンテナンス性を向上させることができるディスク装置を提供する。【解決手段】ディスク装置は、ドライブユニットと、複数のディスクトレイの中から選択された１つのディスクトレイをドライブユニットの近傍に搬送するトレイキャリア及びドライブユニットの近傍に配置され、ディスクトレイに収納された複数枚のディスクの中から１枚のディスクをドライブユニットに供給するディスクセレクタを備えるチェンジャーユニットと、それらを格納する筐体３５とを備える。チェンジャーユニットは、ハンドル部３９を備え、筐体に対して上下方向に相対移動されることにより着脱自在に構成される。ディスク装置は、チェンジャーユニットの下方向の移動をロックするロック機構を備える。ロック機構は、ハンドル部が収納位置から把持位置に移動されるのに連動して、チェンジャーユニットの下方向の移動のロックレバー８１を解除する。【選択図】図８
2019071153.tif 000002
【特許請求の範囲】
【請求項１】
複数枚のディスクをそれぞれ収納する複数のディスクトレイと、
前記ディスクに対して情報の記録又は再生を行うドライブユニットと、
前記複数のディスクトレイの中から選択された１つのディスクトレイを前記ドライブユニットの近傍に搬送するトレイキャリア、及び、前記ドライブユニットの近傍に配置され、前記ディスクトレイに収納された前記複数枚のディスクの中から１枚のディスクを前記ドライブユニットに供給するディスクセレクタを備えるチェンジャーユニットと、
前記チェンジャーユニットを格納する筐体と、
を備えるディスク装置であって、
前記チェンジャーユニットは、収納位置と把持位置とに移動可能に設けられたハンドル部を備え、前記筐体に対して上下方向に相対移動されることにより着脱自在に構成され、
前記ディスク装置は、前記チェンジャーユニットの下方向の移動をロックするロック機構を更に備え、
前記ロック機構は、前記ハンドル部が前記収納位置から前記把持位置に移動されるのに連動して、前記チェンジャーユニットの下方向の移動のロックを解除するように構成されている、ディスク装置。
【請求項２】
前記ロック機構は、前記チェンジャーユニットの下方向の移動をロックするロック位置と、前記チェンジャーユニットの下方向の移動のロックを解除する解除位置とに移動可能なロックレバーを備え、
前記ロックレバーは、前記ハンドル部が前記収納位置から前記把持位置に移動されるとき、前記ロック位置から前記解除位置に移動するように構成されている、
請求項１に記載のディスク装置。
【請求項３】
前記ロック機構は、前記ロックレバーが前記ロック位置に位置するように付勢する付勢部材を備え、
前記ロックレバーは、前記ハンドル部が前記収納位置から前記把持位置に移動されるとき、前記付勢部材の付勢力に抗して前記ロック位置から前記解除位置に移動する、
請求項２に記載のディスク装置。
【請求項４】
前記ロック機構は、前記ロックレバーの先端部が係合可能な複数の係合穴が上下方向に配列されるように設けられた係合部を備え、
前記ロックレバーは、前記複数の係合穴から横方向に離れた回動軸を中心として回動することにより、前記先端部が前記複数の係合穴のいずれか１つに侵入して前記チェンジャーユニットの下方向の移動をロックするロック位置と、前記先端部が前記複数の係合穴から退避して前記チェンジャーユニットの下方向の移動のロックを解除する解除位置とに移動するように構成されている、
請求項２又は３に記載のディスク装置。
【請求項５】
前記ロックレバーが前記ロック位置に位置するとき、前記回動軸は前記先端部よりも上方に位置する、請求項４に記載のディスク装置。
【発明の詳細な説明】
【技術分野】
【０００１】
本開示は、複数のディスクトレイから選択された１つのディスクトレイをドライブユニットの近傍に搬送し、当該ディスクトレイに収納された複数枚のディスクの中から１枚のディスクをドライブユニットに供給するディスク装置に関する。
【背景技術】
【０００２】
従来、この種のディスク装置として、例えば、特許文献１（特開２０１４−１３６３９号公報）に記載された装置が知られている。図２０は、従来のディスク装置の概略構成を模式的に示す斜視図である。
【０００３】
従来のディスク装置は、２つのマガジンストッカー１０１，１０１を備えている。２つのマガジンストッカー１０１，１０１は、底シャーシ１１１上において互いに対向するように設けられている。なお、図２０では、一方（手前側）のマガジンストッカー１０１の図示を省略している。
【０００４】
各マガジンストッカー１０１には、複数のマガジン１０２が収納されている。各マガジン１０２は、複数枚のディスク（ＣＤやＤＶＤなどのディスク状の情報記憶媒体）を収納するディスクトレイ１２１を有している。２つのマガジンストッカー１０１，１０１の間には、トレイキャリア１０３が設けられている。
【０００５】
トレイキャリア１０３は、複数のマガジン１０２の中から選択された１つのマガジン１０２からディスクトレイ１２１を引き出し、当該ディスクトレイ１２１を、装置後方に配置された複数のドライブユニット１０４の近傍に搬送するように構成されている。
【０００６】
ドライブユニット１０４は、ディスクに対して情報の記録又は再生を行う装置である。複数のドライブユニット１０４は、上下方向に積層され、装置後方において各マガジンストッカー１０１，１０１に隣接して配置されている。一方のマガジンストッカー１０１に隣接して積層配置された複数のドライブユニット１０４と、他方のマガジンストッカー１０１に隣接して積層配置された複数のドライブユニット１０４との間には、ディスクセレクタ１０５が設けられている。
【０００７】
ディスクセレクタ１０５は、ディスクトレイ１２１に収納された複数枚のディスクを複数のドライブユニット１０４に１枚ずつ供給するように構成されている。以下、トレイキャリア１０３及びディスクセレクタ１０５の両方の機能を備える装置を「チェンジャーユニット」という。
【先行技術文献】
【特許文献】
【０００８】
【特許文献１】特開２０１４−１３６３９号公報
【発明の概要】
【発明が解決しようとする課題】
【０００９】
従来のディスク装置は、複数のドライブユニット１０４を備え、複数枚のディスクを同時に記録又は再生可能に構成された大型の装置である。このため、チェンジャーユニットによるマガジンストッカー１０１からドライブユニット１０４までのディスクの搬送時間が比較的長くなる。
【００１０】
これに対して、出願人により、１つのドライブユニットに対して１つのチェンジャーユニットを設け、１つの装置内に収納されるディスクトレイの数を減少させたディスク装置が検討されている。このディスク装置によれば、装置の小型化を図ることができるので、ディスクの搬送時間の短縮を図ることができる。また、当該ディスク装置を複数配置することで、従来のディスク装置と同程度の設置スペースで同程度の数のディスクトレイを収納することもできる。
【００１１】
しかしながら、前記ディスク装置を複数配置する場合、可動部分であるチェンジャーユニットの数が増加することになるので、故障のリスクが高くなる。このため、チェンジャーユニットのメンテナンス性を向上させることが求められる。
【００１２】
従って、本発明の目的は、前記課題を解決することにあって、チェンジャーユニットのメンテナンス性を向上させることができるディスク装置を提供することにある。
【課題を解決するための手段】
【００１３】
本開示におけるディスク装置は、複数枚のディスクをそれぞれ収納する複数のディスクトレイと、
前記ディスクに対して情報の記録又は再生を行うドライブユニットと、
前記複数のディスクトレイの中から選択された１つのディスクトレイを前記ドライブユニットの近傍に搬送するトレイキャリア、及び、前記ドライブユニットの近傍に配置され、前記ディスクトレイに収納された前記複数枚のディスクの中から１枚のディスクを前記ドライブユニットに供給するディスクセレクタを備えるチェンジャーユニットと、
前記チェンジャーユニットを格納する筐体と、
を備えるディスク装置であって、
前記チェンジャーユニットは、収納位置と把持位置とに移動可能に設けられたハンドル部を備え、前記筐体に対して上下方向に相対移動されることにより着脱自在に構成され、
前記ディスク装置は、前記チェンジャーユニットの下方向の移動をロックするロック機構を更に備え、
前記ロック機構は、前記ハンドル部が前記収納位置から前記把持位置に移動されるのに連動して、前記チェンジャーユニットの下方向の移動のロックを解除するように構成されている。
【発明の効果】
【００１４】
本開示のディスク装置によれば、チェンジャーユニットのメンテナンス性を向上させることができることができる。
【図面の簡単な説明】
【００１５】
【図１】実施形態に係るディスク装置を複数格納する格納庫の斜視図である。
【図２】図１の格納庫から１つのドロワーを引き出した状態を示す斜視図である。
【図３】図２のドロワーがケースに収納された状態を示す斜視図である。
【図４】図２のドロワーがケースから引き出された状態を示す斜視図である。
【図５】実施形態に係るディスク装置の斜視図である。
【図６】図２のドロワーがケースから引き出された状態を示す斜視図であって、ドロワーに収納された１つのディスク装置を分解して示す図である。
【図７Ａ】図５のディスク装置が備えるチェンジャーユニットの構成及びディスク搬送動作を示す斜視図である。
【図７Ｂ】図７Ａに続くディスク搬送動作を示す斜視図である。
【図７Ｃ】図７Ｂに続くディスク搬送動作を示す斜視図である。
【図７Ｄ】図７Ｃに続くディスク搬送動作を示す斜視図である。
【図７Ｅ】図７Ｄに続くディスク搬送動作を示す斜視図である。
【図７Ｆ】図７Ｅに続くディスク搬送動作を示す斜視図である。
【図７Ｇ】図７Ｆに続くディスク搬送動作を示す斜視図である。
【図７Ｈ】図７Ｇに続くディスク搬送動作を示す斜視図である。
【図８】筐体に対してチェンジャーユニットを上方に相対移動させた状態を示す斜視図であり、ハンドル部が収納位置に位置する状態を示す図である。
【図９】ハンドル部が把持位置に位置する状態を示す斜視図である。
【図１０】ハンドル部を上方から見た上面図である。
【図１１】ロックレバーの取り付け状態を示す側面図であって、ロックレバーがロック位置に位置する状態を示す図である。
【図１２】ロックレバーの取り付け状態を示す側面図であって、ロックレバーが解除位置に位置する状態を示す図である。
【図１３】ロックレバーの近傍の構成を示す拡大斜視図であって、ロックレバーがロック位置に位置する状態を示す図である。
【図１４】ロックレバーの変形例を示す側面図である。
【図１５】コネクティングユニットの斜視図である。
【図１６】コネクティングユニットが接続されるＰＣＢベースを示す斜視図である。
【図１７】コネクティングユニットをＰＣＢベースに接続する様子を示す斜視図である。
【図１８】コネクティングユニットをＰＣＢベースに接続する様子を示す斜視図である。
【図１９】コネクティングユニットをＰＣＢベースに接続する様子を示す斜視図である。
【図２０】従来のディスク装置の概略構成を模式的に示す斜視図である。
【発明を実施するための形態】
【００１６】
本開示の第１態様によれば、複数枚のディスクをそれぞれ収納する複数のディスクトレイと、
前記ディスクに対して情報の記録又は再生を行うドライブユニットと、
前記複数のディスクトレイの中から選択された１つのディスクトレイを前記ドライブユニットの近傍に搬送するトレイキャリア、及び、前記ドライブユニットの近傍に配置され、前記ディスクトレイに収納された前記複数枚のディスクの中から１枚のディスクを前記ドライブユニットに供給するディスクセレクタを備えるチェンジャーユニットと、
前記チェンジャーユニットを格納する筐体と、
を備えるディスク装置であって、
前記チェンジャーユニットは、収納位置と把持位置とに移動可能に設けられたハンドル部を備え、前記筐体に対して上下方向に相対移動されることにより着脱自在に構成され、
前記ディスク装置は、前記チェンジャーユニットの下方向の移動をロックするロック機構を更に備え、
前記ロック機構は、前記ハンドル部が前記収納位置から前記把持位置に移動されるのに連動して、前記チェンジャーユニットの下方向の移動のロックを解除するように構成されている、ディスク装置を提供する。
【００１７】
本開示の第２態様によれば、前記ロック機構は、前記チェンジャーユニットの下方向の移動をロックするロック位置と、前記チェンジャーユニットの下方向の移動のロックを解除する解除位置とに移動可能なロックレバーを備え、
前記ロックレバーは、前記ハンドル部が前記収納位置から前記把持位置に移動されるとき、前記ロック位置から前記解除位置に移動するように構成されている、
第１態様に記載のディスク装置を提供する。
【００１８】
本開示の第３態様によれば、前記ロック機構は、前記ロックレバーが前記ロック位置に位置するように付勢する付勢部材を備え、
前記ロックレバーは、前記ハンドル部が前記収納位置から前記把持位置に移動されるとき、前記付勢部材の付勢力に抗して前記ロック位置から前記解除位置に移動する、
第２態様に記載のディスク装置を提供する。
【００１９】
本開示の第４態様によれば、前記ロック機構は、前記ロックレバーの先端部が係合可能な複数の係合穴が上下方向に配列されるように設けられた係合部を備え、
前記ロックレバーは、前記複数の係合穴から横方向に離れた回動軸を中心として回動することにより、前記先端部が前記複数の係合穴のいずれか１つに侵入して前記チェンジャーユニットの下方向の移動をロックするロック位置と、前記先端部が前記複数の係合穴から退避して前記チェンジャーユニットの下方向の移動のロックを解除する解除位置とに移動するように構成されている、
第２又は３態様に記載のディスク装置を提供する。
【００２０】
本開示の第５態様によれば、前記ロックレバーが前記ロック位置に位置するとき、前記回動軸は前記先端部よりも上方に位置する、第４態様に記載のディスク装置を提供する。
【００２１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２２】
なお、発明者らは、当業者が本開示を十分に理解するために添付図面及び以下の説明を提供するものであって、これらによって特許請求の範囲に記載の主題を限定することを意図するものではない。
【００２３】
《実施形態》
図１は、実施形態に係るディスク装置を複数格納する格納庫の斜視図である。
【００２４】
格納庫１は、例えば、１９インチラックである。格納庫１は、直方体の箱状の部材であり、前面に開口部１Ａを有している。格納庫１において、奥行き方向Ｘの長さは、例えば１，０００ｍｍであり、横方向Ｙの長さは例えば６００ｍｍであり、上下方向Ｚの長さは例えば２，０００ｍｍである。格納庫１は、図１に示すように、複数のドロワー２を備えている。実施形態においては、４つのドロワー２が上下方向Ｚに配列されている。各ドロワー２は、格納庫１の開口部１Ａを通じて出し入れ可能に構成されている。各ドロワー２は、他のドロワー２とは独立に動作可能に構成され、格納庫１の電源が投入されている場合であっても、ドロワー２は他のドロワー２の動作を妨げることなく、引き出すことができる。ただし、同一ラック内では必ず１つのドロワー２しか引き出せないように電気的に制御するようにしている。これにより、複数のドロワー２を引き出すことにより重心が前方に移動して、格納庫１が転倒することを回避することができる。
【００２５】
図２は、図１の格納庫１から１つのドロワー２を引き出した状態を示す斜視図である。
【００２６】
図２に示すように、ドロワー２には、実施形態に係る複数のディスク装置（チェンジャーモジュールともいう）３が収納されている。実施形態においては、１つのドロワー２に４つのディスク装置３が奥行き方向Ｘに収納されている。ドロワー２の前壁には、把手部２Ａが設けられている。把手部２Ａを奥行き方向Ｘに押す又は引くことにより、格納庫１に対してドロワー２を容易に出し入れすることができる。
【００２７】
図３は、ドロワー２がケース４に収納された状態を示す斜視図である。図４は、ドロワー２がケース４から引き出された状態を示す斜視図である。
【００２８】
ドロワー２は、格納庫１内に位置するとき、図３に示すようにケース４内に収納される。これにより、ドロワー２内に収納される各ディスク装置３内に埃等が侵入することが抑えられている。ケース４は、直方体の箱状の部材であり、前面に開口部４Ａ（図４参照）を有している。ケース４は、格納庫１内に着脱自在に固定されている。実施形態においては、４つのケース４が上下方向Ｚに積み重ねられている。
【００２９】
また、ドロワー２は、格納庫１内から引き出されたとき、図４に示すようにケース４の開口部４Ａを通じてケース４から引き出される。ケース４には、ドロワー２の奥行き方向Ｘの移動をガイドするように一対のレール５が設けられている。
【００３０】
また、ドロワー２の前壁には、各ディスク装置３を冷却する冷却風を送風するファンユニット６が着脱自在に取り付けられている。
【００３１】
図５は、ディスク装置３の斜視図である。図６は、ドロワー２がケース４から引き出された状態を示す斜視図であって、ドロワー２に収納された１つのディスク装置３を分解して示す図である。
【００３２】
ディスク装置３は、横方向Ｙに互いに対向するように２つのトレイスタック３１Ａ，３１Ｂを備えている。
【００３３】
トレイスタック３１Ａ，３１Ｂには、複数のディスクトレイ３２が収納されている。トレイスタック３１Ａ，３１Ｂは、複数のディスクトレイ３２を上下方向Ｚに保持するように構成されている。実施形態において、ドロワー２の前方から見て右側に配置されるトレイスタック３１Ａは、１６個のディスクトレイ３２を上下方向Ｚに保持するように構成されている。ドロワー２の前方から見て左側に配置されるトレイスタック３１Ｂは、１８個のディスクトレイ３２を上下方向Ｚに保持するように構成されている。
【００３４】
ディスクトレイ３２は、複数枚のディスクを収納可能に構成されている。実施形態において、ディスクトレイ３２は、１２枚のディスクを積層状態で収納可能に構成されている。ディスクは、例えば、直径１２ｃｍの両面に記録層を有する光ディスクである。
【００３５】
トレイスタック３１Ａ，３１Ｂの間には、ディスクトレイ３２及びディスクを搬送するチェンジャーユニット３３が設けられている。
【００３６】
ドライブユニット３４は、ディスクに対して情報の記録又は再生を行う装置である。実施形態において、ドライブユニット３４は、トレイを用いてディスクをローディングするトレイ方式のディスクドライブである。ドライブユニット３４は、筐体３５に取り付けられている。
【００３７】
トレイスタック３１Ａ，３１Ｂ及びチェンジャーユニット３３は、筐体３５内に格納されている。トレイスタック３１Ａ，３１Ｂは、図４に示すようにドロワー２がケース４から引き出された状態で、横方向Ｙに押す又は引くことにより、着脱自在に構成されている。なお、トレイスタック３１Ａ，３１Ｂは、筐体３５に対して着脱しやすいように、複数（例えば上下２段）に分割されてもよい。チェンジャーユニット３３は、図４に示すようにドロワー２がケース４から引き出された状態で、上下方向Ｚに押す又は引くことにより、筐体３５に対して着脱自在に構成されている。
【００３８】
また、ドロワー２の前壁には、各ディスク装置３のディスク搬送動作を含む各種動作及びファンユニット６の送風動作を制御する制御ユニット７が着脱自在に取り付けられている。制御ユニット７は、例えば、データを管理するホストコンピュータに有線又は無線により接続されている。ホストコンピュータは、オペレータの指示に基づき、指定のディスクへのデータの書き込み又は読み出し等の動作を行うように制御ユニット７に指令を送る。制御ユニット７は、当該指令に従い、ファンユニット６、チェンジャーユニット３３、ドライブユニット３４などの各装置の動作を制御する。
【００３９】
また、チェンジャーユニット３３には、トレイスタック３１Ｂの上方において、コネクティングユニット９が取り付けられている。コネクティングユニット９の構成については、後で詳しく説明する。
【００４０】
図７Ａ〜図７Ｈは、チェンジャーユニット３３の構成及びディスク搬送動作を示す斜視図である。
【００４１】
チェンジャーユニット３３は、図７Ａに示すように、トレイキャリア３６と、ディスクセレクタ３７とを備えている。トレイキャリア３６とディスクセレクタ３７とは、図６に示すシャーシ３８に取り付けられている。図７Ａ〜図７Ｈにおいては、チェンジャーユニット３３の内部構成を見やすくするため、図６に示すシャーシ３８の前壁３８Ａを取り外した状態を示している。
【００４２】
トレイキャリア３６は、図７Ｂ〜図７Ｄに示すように、複数のディスクトレイ３２の中から選択された１つのディスクトレイ３２をドライブユニット３４の近傍に搬送するように構成されている。また、トレイキャリア３６は、ドライブユニット３４の近傍に搬送したディスクトレイ３２を元の位置（トレイスタック３１Ａ又はトレイスタック３１Ｂ）に収納するように構成されている。
【００４３】
実施形態において、トレイキャリア３６は、上下方向Ｚに移動するように構成されている。また、トレイキャリア３６は、所望のディスクトレイ３２の位置に移動し、トレイスタック３１Ａ，３１Ｂに対してディスクトレイ３２を出し入れ可能に構成されている。
【００４４】
ディスクセレクタ３７は、ドライブユニット３４の近傍に配置され、ディスクトレイ３２に収納された複数枚のディスクＤ１の中から１枚のディスクＤ１をドライブユニット３４に供給するように構成されている。実施形態において、ディスクセレクタ３７は、図７Ｅに示すように、ドライブユニット３４の近傍において、ディスクトレイ３２に収納された複数枚のディスクＤ１を保持するように構成されている。ディスクセレクタ３７が複数枚のディスクＤ１を保持すると、トレイキャリア３６が下降してディスクセレクタ３７から離れる。その後、図７Ｆに示すように、ディスクセレクタ３７の下方に位置するように、ドライブユニット３４からトレイ３４Ａが排出される。
【００４５】
また、ディスクセレクタ３７は、図７Ｇに示すように、前記保持した複数枚のディスクＤ１から１枚のディスクＤ１を分離してドライブユニット３４のトレイ３４Ａに供給する。その後、図７Ｈに示すように、ドライブユニット３４内にトレイ３４Ａが搬送されることで、ディスクＤ１に対してデータの記録又は再生が可能になる。
【００４６】
また、ディスクセレクタ３７は、図７Ｆに示すように、ドライブユニット３４から排出されたトレイ３４Ａ上のディスクＤ１を保持し、ディスクトレイ３２上で保持を解除することで当該ディスクＤ１をディスクトレイ３２内に戻すように構成されている。
【００４７】
次に、チェンジャーユニット３３の構成についてより詳しく説明する。
【００４８】
図８は、筐体３５に対してチェンジャーユニット３３を上方に相対移動させた状態を示す斜視図である。
【００４９】
図８に示すように、チェンジャーユニット３３のシャーシ３８の上面には、断面Ｕ字状のハンドル部３９が設けられている。図８において、ハンドル部３９は、シャーシ３８の上面に設けられたＵ字状の凹部３８Ｂ内に収納された収納位置３９Ａに位置している。チェンジャーユニット３３は、ハンドル部３９が凹部３８Ｂから持ち上げられ、筐体３５に対して上下方向Ｚに相対移動されることにより着脱自在に構成されている。筐体３５には、チェンジャーユニット３３の上下方向Ｚの移動をガイドするようにガイド部（図示せず）が設けられている。
【００５０】
図９は、ハンドル部３９が凹部３８Ｂから持ち上げられた把持位置３９Ｂに位置する状態を示す斜視図である。
【００５１】
図８及び図９に示すように、ハンドル部３９は、両端部３９Ｃを回動軸として回動することで、収納位置３９Ａと把持位置３９Ｂとに移動可能に設けられている。このハンドル部３９の回動動作に連動してチェンジャーユニット３３の下方向Ｚの移動をロックするロック機構８が、チェンジャーユニット３３及び筐体３５に設けられている。ロック機構８は、ハンドル部３９が収納位置３９Ａから把持位置３９Ｂに移動されるのに連動して、チェンジャーユニット３３の下方向Ｚの移動のロックを解除するように構成されている。
【００５２】
ロック機構８は、一対のロックレバー８１を備えている。一方のロックレバー８１は、シャーシ３８の前壁３８Ａの内面に取り付けられている。他方のロックレバー８１は、シャーシ３８の前壁３８Ａと対向する後壁３８Ｃの内面に取り付けられている。一対のロックレバー８１は、横方向Ｙから見て左右対称に構成されている。
【００５３】
また、ロック機構８は、係合部８２を備えている。係合部８２には、ロックレバー８１の先端部８１Ａが係合可能な複数の係合穴８２Ａが上下方向Ｚに配列されるように設けられている。実施形態において、係合部８２は、筐体３５に一体的に設けられている。
【００５４】
図１０は、シャーシ３８の上壁に取り付けられたハンドル部３９を上方から見た上面図である。図１１及び図１２は、ロックレバー８１の取り付け状態を示す側面図である。図１３は、ロックレバー８１の近傍の構成を示す拡大斜視図である。
【００５５】
図１０に示すように、ハンドル部３９の両端部３９Ｃには、それぞれ第１ワイヤ８３の一端部８３Ａが接続されている。なお、図１０においては、第１ワイヤ８３が見えるように上面カバーを取り外した状態を示している。第１ワイヤ８３は、図１０に示すようにシャーシ３８の上壁の底面に沿って前壁３８Ａ又は後壁３８Ｃまで延在し、図１１又は図１２に示すように、前壁３８Ａ又は後壁３８Ｃに沿って上下方向Ｚに延在するように設けられている。
【００５６】
第１ワイヤ８３の他端部８３Ｂは、ワイヤブロック８４の内部を通過して、第１バネ８５の一端部８５Ａに接続されている。ワイヤブロック８４は、筐体３５に対して上下方向Ｚに相対移動可能に取り付けられている。第１バネ８５の他端部８５Ｂは、図１３に示すようにシャーシ３８に設けられた突起部３８Ｄに係合されている。第１ワイヤ８３の他端部８３Ｂとワイヤブロック８４との間には、図１１及び図１２に示すように、ブロック８６が第１ワイヤ８３の周囲に固定されている。
【００５７】
第１ワイヤ８３の側方には、第１ワイヤ８３に対して平行に第２ワイヤ８７が取り付けられている。すなわち、第２ワイヤ８７は、上下方向Ｚに延在するように取り付けられている。第２ワイヤ８７の一端部８７Ａは、付勢部材の一例である第２バネ８８の一端部８８Ａに接続されている。第２バネ８８の他端部８８Ｂは、シャーシ３８に設けられた突起部３８Ｅに係合されている。
【００５８】
第２ワイヤ８７の他端部８７Ｂは、ワイヤブロック８４の内部を通過して、ロックレバー８１の後端部８１Ｂに接続されている。第２ワイヤ８７は、ワイヤブロック８４に固定されている。ロックレバー８１の後端部８１Ｂには、付勢部材の一例である第３バネ８９の一端部８９Ａに接続されている。第３バネ８９の他端部８９Ｂは、シャーシ３８に設けられた突起部３８Ｆに係合されている。
【００５９】
ロックレバー８１は、先端部８１Ａと後端部８１Ｂとの間に位置する回動軸８１Ｃを中心として回動自在にシャーシ３８に取り付けられている。回動軸８１Ｃは、複数の係合穴８２Ａから横方向Ｙに離れるとともに先端部８１Ａよりも上方に設けられている。ロックレバー８１は、回動軸８１Ｃを中心として回動することにより、ロック位置８１Ｄ（図１１参照）と解除位置８１Ｅ（図１２参照）とに移動する。ロックレバー８１がロック位置８１Ｄに位置するとき、ロックレバー８１の先端部８１Ａが複数の係合穴８２Ａのいずれか１つに侵入し、チェンジャーユニット３３の下方向Ｚの移動をロックする。ロックレバー８１が解除位置８１Ｅに位置するとき、ロックレバー８１の先端部８１Ａが複数の係合穴８２Ａから退避して、チェンジャーユニット３３の下方向Ｚの移動のロックを解除する。
【００６０】
第３バネ８９は、ロックレバー８１がロック位置８１Ｄ（図１１参照）に位置するように付勢する。ロックレバー８１は、ハンドル部３９が収納位置３９Ａ（図８参照）から把持位置３９Ｂ（図９参照）に移動されるとき、第３バネ８９の付勢力に抗してロック位置８１Ｄ（図１１参照）から解除位置８１Ｅ（図１２参照）に移動する。
【００６１】
より具体的には、ハンドル部３９が収納位置３９Ａから把持位置３９Ｂへ移動されると、まず、第１ワイヤ８３が第１バネ８５の付勢力に抗して上方に引き上げられる。これにより、図１２に示すように、ブロック８６がワイヤブロック８４に接触して上方に移動させる。ブロック８６は、例えば、ハンドル部３９が凹部３８Ｂから両端部３９Ｃを中心として７０度〜８０度回動されたとき、第１ワイヤ８３が上方に２８ｍｍ移動し、ワイヤブロック８４に接触するように構成されている。
【００６２】
ハンドル部３９が更に回動され、第１ワイヤ８３が更に持ち上げられると、ブロック８６に押されてワイヤブロック８４が上方に（例えば、２ｍｍ）移動し、ワイヤブロック８４に固定された第２ワイヤ８７が上方に持ち上げられる。これにより、第２バネ８８及び第３バネ８９の付勢力に抗して、ロックレバー８１の後端部８１Ｂが上方に持ち上げられ、ロックレバー８１が回動軸８１Ｃを中心として回動する。これにより、ロックレバー８１の先端部８１Ａが係合穴８２Ａから退避して、ロックレバー８１が解除位置８１Ｅに移動する。
【００６３】
実施形態では、ハンドル部３９が収納位置３９Ａから把持位置３９Ｂに移動されるのに連動して、チェンジャーユニット３３の下方向Ｚの移動のロックを解除するように構成されている。この構成によれば、ハンドル部３９を把持位置３９Ｂにしてチェンジャーユニット３３を上方に持ち上げる際に、ロック機構８によってチェンジャーユニット３３の上方の移動が妨げられること抑えることができる。また、この構成によれば、ハンドル部３９を把持位置３９Ｂにしてチェンジャーユニット３３を下方に挿入する際に、ロック機構８によってチェンジャーユニット３３の下方の移動が妨げられること抑えることができる。また、チェンジャーユニット３３を上方に持ち上げている途中に、ハンドル部３９を把持位置３９Ｂから収納位置３９Ａに戻すことにより、ロックレバー８１をロック位置８１Ｄに移動させて、チェンジャーユニット３３をその高さ位置でロックすることができる。その結果、チェンジャーユニット３３のメンテナンス性を向上させることができる。
【００６４】
また、実施形態では、チェンジャーユニット３３を持っている途中で誤ってハンドル部３９を離した場合でも、第２バネ８８及び第３バネ８９の付勢力によってロックレバー８１をロック位置８１Ｄに移動させることができる。また、第１バネ８５の付勢力によって、ハンドル部３９を把持位置３９Ｂから収納位置３９Ａに戻すことができる。これにより、チェンジャーユニット３３が落下して、その衝撃力により手を挟む等の危険性を抑えることができ、さらにその衝撃力によりトレイキャリア３６やディスクセレクタ３７が故障することを抑えることができる。その結果、チェンジャーユニット３３のメンテナンス性を一層向上させることができる。
【００６５】
なお、本発明は前記実施形態に限定されるものではなく、その他種々の態様で実施できる。例えば、前記では、ディスクセレクタ３７は、ディスクトレイ３２に収納された複数枚のディスクＤ１を保持するものとしたが、本発明はこれに限定されない。例えば、ディスクセレクタ３７は、ディスクトレイ３２に収納された１枚のディスクＤ１を保持するように構成されてもよい。
【００６６】
また、前記では、ロック機構８が一対のロックレバー８１を備えるものとしたが、本発明はこれに限定されない。ロック機構８は、１つのロックレバー８１を備えていればよい。但し、ロック機構８が横方向Ｙから見て左右対称に構成された一対のロックレバー８１を備えることで、チェンジャーユニット３３の下方向Ｚの移動をよりバランス良く且つより確実にロックすることができる。
【００６７】
また、前記では、第１ワイヤ８３と第２ワイヤ８７とを連動して移動させることで、ロックレバー８１をロック位置８１Ｄと解除位置８１Ｅとに移動させるようにしたが、本発明はこれに限定されない。例えば、第１ワイヤ８３の他端部８３Ｂをロックレバー８１の後端部８１Ｂに接続して、第１ワイヤ８３を上下方向Ｚに移動させることにより、ロックレバー８１をロック位置８１Ｄと解除位置８１Ｅとに移動させるようにしてもよい。但し、この場合、ハンドル部３９の収納位置３９Ａから把持位置３９Ｂまでの移動に伴う第１ワイヤ８３の変位量とロックレバー８１の後端部８１Ｂの変位量とが一致することになるので、ロックレバー８１の回動範囲が大きくなる。このため、前記のように、第１ワイヤ８３の変位量に比べてロックレバー８１の後端部８１Ｂの変位量が小さくなるようにロック機構８が構成されることが好ましい。例えば、ハンドル部３９が凹部３８Ｂから７０度回動されるまではロックレバー８１が回動せず、ハンドル部３９が凹部３８Ｂから７０度から９０度回動されるとき、ロックレバー８１が回動するように構成してもよい。
【００６８】
また、前記では、図１１に示すように、ロックレバー８１がロック位置８１Ｄに位置するとき、回動軸８１Ｃは先端部８１Ａよりも上方に位置するように構成したが、本発明はこれに限定されない。例えば、図１４に示すように、ロックレバー８１がロック位置８１Ｄに位置するとき、回動軸８１Ｃは先端部８１Ａよりも下方に位置するように構成されてもよい。但し、この構成では、チェンジャーユニット３３を持ち上げている途中で誤ってハンドル部３９を離した場合に、先端部８１Ａが係合穴８２Ａの下部８２Ａａに衝突したときの反力が、ロックレバー８１の先端部８１Ａを係合穴８２Ａから離す方向Ｒ１に働く。それにより、ロックレバー８１によるロックが解除されるおそれがある。このため、前記のように、ロックレバー８１がロック位置８１Ｄに位置するとき、回動軸８１Ｃが先端部８１Ａよりも上方に位置するように構成することが好ましい。この場合、前記反力は、ロックレバー８１の回動方向と同じ方向に働き、ロックレバー８１の先端部８１Ａが係合穴８２Ａから外れ難くなる。
【００６９】
次に、コネクティングユニット９の構成について説明する。図１５は、コネクティングユニット９の斜視図である。
【００７０】
コネクティングユニット９は、チェンジャーユニット３３が備えるトレイキャリア３６及びディスクセレクタ３７と制御ユニット７とを電気的に接続するものである。コネクティングユニット９は、コネクティングベース９１と、ＰＣＢホルダ９２と、スライディングプレート９３と、ハンドルバー９４とを備えている。
【００７１】
コネクティングベース９１は、略矩形の上壁９１Ａと、奥行き方向Ｘに互いに対向する一対の側壁９１Ｂとを備えている。一対の側壁９１Ｂには、それぞれ高さ方向Ｚに延在する２つのカム溝９１Ｂａが設けられている。コネクティングベース９１の内側には、ＰＣＢホルダ９２が高さ方向Ｚに移動可能に設けられている。ＰＣＢホルダ９２は、コネクティングベース９１の内面に沿うように、略矩形の上壁９２Ａと、奥行き方向Ｘに互いに対向する一対の側壁９２Ｂとを備えている。ＰＣＢホルダ９２の上壁９２Ａの下面には、プリント配線基板（ＰＣＢ）９５が取り付けられている。プリント配線基板９５の下面には、コネクタ９５Ａ（図１７〜図１９参照）が実装されている。一対の側壁９２Ｂの外面には、それぞれ奥行き方向Ｘに突出する２つのカムピン９２Ｂａが設けられている。２つのカムピン９２Ｂａは、それぞれ対応するカム溝９１Ｂａに挿入可能に構成されている。
【００７２】
コネクティングベース９１の一方の側壁９１ＢとＰＣＢホルダ９２の一方の側壁９２Ｂとの間、及びコネクティングベース９１の他方の側壁９１ＢとＰＣＢホルダ９２の他方の側壁９２Ｂとの間には、それぞれスライディングプレート９３が横方向Ｙに移動可能に設けられている。
【００７３】
各スライディングプレート９３は、コネクティングベース９１の上壁９１Ａに横方向Ｙに延在するように設けられたスリット９１Ａａを通じて上方に突出するように配置される突出片９３Ａを備えている。これらの突出片９３Ａは、奥行き方向Ｚに延在するハンドルバー９４によって接続されている。
【００７４】
また、各スライディングプレート９３には、カムピン９２Ｂａが挿入されるとともに、当該カムピン９２Ｂａがカム溝９１Ｂａ内を高さ方向Ｚに移動するようにガイドするガイド溝９３Ｂ（図１８及び図１９参照）が設けられている。
【００７５】
図１６は、コネクティングユニット９が接続されるＰＣＢベース１０を示す斜視図である。
【００７６】
ＰＣＢベース１０は、トレイスタック３１Ｂの上方において、筐体３５に固定されている。ＰＣＢベース１０は、プリント配線基板１０Ａと、一対の位置決めピン１０Ｂと、ロックバー１０Ｃとを備えている。
【００７７】
プリント配線基板１０Ａは、制御ユニット７と電気的に接続されている。プリント配線基板１０Ａには、コネクタ１０Ｄが実装されている。
【００７８】
一対の位置決めピン１０Ｂは、コネクタ１０Ｄを奥行き方向Ｘに挟んで対向する位置において、高さ方向Ｚに延在するように設けられている。コネクティングユニット９をＰＣＢベース１０に接続するとき、一対の位置決めピン１０Ｂは、プリント配線基板９５及びＰＣＢホルダ９２に設けられた貫通穴（図示せず）を通じて、コネクティングベース９１に設けられた位置決め穴９１Ａｂに挿入される。各位置決めピン１０Ｂは、先端部１０Ｂａに向かうに従い段階的に直径が小さくなるように形成されている。各位置決めピン１０Ｂの先端部１０Ｂａは、位置決め穴９１Ａｂよりも直径が小さくなるように形成されている。
【００７９】
ロックバー１０Ｃは、プリント配線基板１０Ａよりも上方の位置で、奥行き方向Ｘに延在するように両端部を保持されている。
【００８０】
図１７〜図１９は、コネクティングユニット９をＰＣＢベース１０に接続する様子を示す斜視図である。
【００８１】
コネクティングユニット９が接続されたチェンジャーユニット３３を下方に移動させることによりチェンジャーユニット３３を筐体３５内に格納する（図５参照）と、図１７に示すように、コネクティングベース９がＰＣＢベース１０の上方に配置される。このとき、ＰＣＢベース１０の一対の位置決めピン１０Ｂが、プリント配線基板９５及びＰＣＢホルダ９２の貫通穴（図示せず）を通じて、コネクティングベース９１の位置決め穴９１Ａｂに挿入される。これにより、コネクティングユニット９とＰＣＢベース１０との奥行き方向Ｘ及び横方向Ｙの相対移動が規制される。
【００８２】
次いで、図１８及び図１９に示すように、ハンドルバー９４を位置決めピン１０Ｂの先端部１０Ｂａに近づく方向に移動させる。これにより、ハンドルバー９４に対して突出片９３Ａを介して接続されたスライディングプレート９３が横方向Ｙに移動し、ＰＣＢホルダ９２のカムピン９２Ｂａがガイド溝９３Ｂにガイドされてカム溝９１Ｂａ内を下降する。その結果、ＰＣＢホルダ９２全体が下降し、ＰＣＤＢホルダ９２に取り付けられたプリント配線基板９５のコネクタ９５Ａが、ＰＣＢベース１０のコネクタ１０Ｄに接続される。また、このとき、スライディングプレート９３の先端部９３Ｃがロックバー１０Ｃの下方に移動する。これにより、コネクティングユニット９の上方への移動が規制される。
【００８３】
なお、スライディングプレート９３の先端部９３Ｃが図１８に示す位置に位置する状態で、チェンジャーユニット３３を下方に移動させてチェンジャーユニット３３を筐体３５内に格納しようとすると、先端部９３Ｃがロックバー１０Ｃに上方から接触することになる。これにより、意図せず、コネクタ９５Ａとコネクタ１０Ｄとが接触してそれらに衝撃力が加わることを抑えることができる。
【００８４】
コネクタ９５Ａとコネクタ１０Ｄとの接続は、ハンドルバー９４を位置決めピン１０Ｂの先端部１０Ｂａから離れる方向に移動させることにより解除することができる。すなわち、ハンドルバー９４を位置決めピン１０Ｂの先端部１０Ｂａから離れる方向に移動させることにより、スライディングプレート９３が横方向Ｙに移動し、ＰＣＢホルダ９２のカムピン９２Ｂａがガイド溝９３Ｂにガイドされてカム溝９１Ｂａ内を上昇する。その結果、ＰＣＢホルダ９２全体が上昇し、ＰＣＢホルダ９２に取り付けられたプリント配線基板９５のコネクタ９５ＡとＰＣＢベース１０のコネクタ１０Ｄとの接続が解除される。また、このとき、スライディングプレート９３の先端部９３Ｃがロックバー１０Ｃの下方から離れる。これにより、コネクティングユニット９の上方への移動の規制が解除される。
【００８５】
実施形態によれば、チェンジャーユニット３３を下方に移動させることによりチェンジャーユニット３３を筐体３５内に格納したとき、コネクタ９５Ａとコネクタ１０Ｄとは、互い対向するように位置決めされるように構成されている。この構成によれば、例えば、チェンジャーユニット３３を持ち上げている途中で誤ってハンドル部３９を離して、チェンジャーユニット３３が落下した場合でも、コネクタ９５Ａとコネクタ１０Ｄとが接触してそれらに衝撃力が加わることを抑えることができる。
【００８６】
また、実施形態によれば、ハンドルバー９４を横方向Ｙに移動させることで、コネクタ９５Ａとコネクタ１０Ｄとの接続又は接続解除を容易に行うことができる。
【００８７】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８８】
また、前述の実施形態は、本開示における技術を例示するためのものであるから、特許請求の範囲又はその均等の範囲において種々の変更、置き換え、付加、省略などを行うことができる。
【産業上の利用可能性】
【００８９】
本開示にかかるディスク装置は、チェンジャーユニットのメンテナンス性を向上させることができるので、特に、データセンターなどの大量のデータを扱う施設に用いるディスク装置に有用である。
【符号の説明】
【００９０】
１      格納庫
１Ａ    開口部
２      ドロワー
２Ａ    把手部
３      ディスク装置
４      ケース
４Ａ    開口部
５      レール
６      ファンユニット
７      制御ユニット
８      ロック機構
９      コネクティングユニット
１０      ＰＣＢベース
１０Ａ    プリント配線基板
１０Ｂ    位置決めピン
１０Ｂａ  先端部
１０Ｃ    ロックバー
１０Ｄ    コネクタ
３１Ａ，３１Ｂ    トレイスタック
３２      ディスクトレイ
３３      チェンジャーユニット
３４      ドライブユニット
３５      筐体
３６      トレイキャリア
３７      ディスクセレクタ
３８      シャーシ
３８Ａ    前壁
３８Ｂ    凹部
３８Ｃ    後壁
３８Ｄ，３８Ｅ，３８Ｆ  突起部
３９      ハンドル部
３９Ａ    収納位置
３９Ｂ    把持位置
３９Ｃ    両端部
８１      ロックレバー
８１Ａ    先端部
８１Ｂ    後端部
８１Ｃ    回動軸
８１Ｄ    ロック位置
８１Ｅ    解除位置
８２      係合部
８２Ａ    係合穴
８２Ａａ  下部
８３      第１ワイヤ
８３Ａ    一端部
８３Ｂ    他端部
８４      ワイヤブロック
８５      第１バネ
８５Ａ    一端部
８５Ｂ    他端部
８６      ブロック
８７      第２ワイヤ
８７Ａ    一端部
８８      第２バネ
８８Ａ    一端部
８８Ｂ    他端部
８９      第３バネ
８９Ａ    一端部
８９Ｂ    他端部
９１      コネクティングベース
９１Ａ    上壁
９１Ａａ  スリット
９１Ａｂ  位置決め穴
９１Ｂ    側壁
９１Ｂａ  カム溝
９２      ＰＣＢホルダ
９２Ａ    上壁
９２Ｂ    側壁
９２Ｂａ  カムピン
９３      スライディングプレート
９３Ａ    突出片
９３Ｂ    ガイド溝
９４      ハンドルバー
９５      プリント配線基板
９５Ａ    コネクタ
【図１】
2019071153.tif 000003
【図２】
2019071153.tif 000004
【図３】
2019071153.tif 000005
【図４】
2019071153.tif 000006
【図５】
2019071153.tif 000007
【図６】
2019071153.tif 000008
【図７Ａ】
2019071153.tif 000009
【図７Ｂ】
2019071153.tif 000010
【図７Ｃ】
2019071153.tif 000011
【図７Ｄ】
2019071153.tif 000012
【図７Ｅ】
2019071153.tif 000013
【図７Ｆ】
2019071153.tif 000014
【図７Ｇ】
2019071153.tif 000015
【図７Ｈ】
2019071153.tif 000016
【図８】
2019071153.tif 000017
【図９】
2019071153.tif 000018
【図１０】
2019071153.tif 000019
【図１１】
2019071153.tif 000020
【図１２】
2019071153.tif 000021
【図１３】
2019071153.tif 000022
【図１４】
2019071153.tif 000023
【図１５】
2019071153.tif 000024
【図１６】
2019071153.tif 000025
【図１７】
2019071153.tif 000026
【図１８】
2019071153.tif 000027
【図１９】
2019071153.tif 000028
【図２０】
2019071153.tif 000029